(57)【特許請求の範囲】
【請求項１】
利用者により注視される表示部と、
前記利用者が視線を動かす標的となる第１画像を前記表示部に表示させる第１制御部と、
前記利用者が前記表示部を注視して前記視線を動かす視線リハビリテーションを行う場合に、前記利用者の前記視線に関する視線情報を受信する視線受信部と、
前記利用者の前記視線が前記第１画像の表示範囲から所定範囲内にある所定範囲内状態が所定時間以上継続されたときに、前記第１画像とは異なり、かつ、前記視線リハビリテーションが成功したことを示す第２画像を前記表示部に表示させる第２制御部と、
前記視線リハビリテーションを開始した時刻から所定時間が経過したか否か、及び／又は前記利用者の前記視線が前記所定範囲内にない所定範囲外状態から前記所定範囲内状態に切り換わる回数が所定回数に達したか否か、を判定する判定部と、
前記視線リハビリテーションを開始した時刻から所定時間が経過した、及び／又は前記利用者の前記視線が前記所定範囲内にない所定範囲外状態から前記所定範囲内状態に切り換わる回数が所定回数に達した、と判定された場合に、前記利用者が身体及び／又は前記身体のいずれかの部位を動かす身体リハビリテーションを行う標的となる第３画像を前記表示部に表示させる表示制御部と、
前記第３画像を注視して前記身体リハビリテーションを行う前記利用者の前記身体及び／又は前記身体のいずれかの部位の動きに関する動き情報を受信する動き受信部と、
前記動き受信部で検出される前記動き情報に応じて移動する第４画像を前記表示部に表示させる第３制御部と、
前記第４画像の表示位置が前記第３画像の表示範囲から特定範囲内にある特定範囲内状態が特定時間以上継続されたときに、前記第３画像及び前記第４画像とは異なり、かつ、前記身体リハビリテーションに成功したことを示す第５画像を前記表示部で表示させる第４制御部と、
を有する、リハビリテーション装置。
【請求項２】
前記動き受信部が受信する前記動き情報は、前記利用者による手を開く動作の情報及び手を閉じる動作の情報を含み、
前記第４制御部は、前記特定範囲内状態において前記手を開く動作及び／又は手を閉じる動作に関する情報を前記動き受信部が受信したときに、前記第５画像を表示する、請求項１に記載のリハビリテーション装置。
【請求項３】
前記動き受信部が受信する前記動き情報は、前記利用者が前記表示部に触れた位置の情報を含み、
前記第３制御部は、前記表示部に触れた位置に応じて前記第４画像を移動させる、請求項１又は２に記載のリハビリテーション装置。
【請求項４】
利用者により注視される表示部を有するリハビリテーション装置の制御部に、
前記利用者が視線を動かす標的となる第１画像を前記表示部に表示させる第１制御ステップと、
前記利用者が前記表示部を注視して前記視線を動かす視線リハビリテーションを行う場合に、前記利用者の前記視線に関する視線情報を受信する視線受信ステップと、
前記利用者の前記視線が前記第１画像の表示範囲から所定範囲内にある所定範囲内状態が所定時間以上継続されたときに、前記第１画像とは異なり、かつ、前記視線リハビリテーションが成功したことを示す第２画像を前記表示部に表示させる第２制御ステップと、
前記視線リハビリテーションを開始した時刻から所定時間が経過したか否か、及び／又は前記利用者の前記視線が前記所定範囲内にない所定範囲外状態から前記所定範囲内状態に切り換わる回数が所定回数に達したか否か、を判定する判定ステップと、
前記視線リハビリテーションを開始した時刻から所定時間が経過した、及び／又は前記利用者の前記視線が前記所定範囲内にない所定範囲外状態から前記所定範囲内状態に切り換わる回数が所定回数に達した、と判定された場合に、前記利用者が身体及び／又は前記身体のいずれかの部位を動かす身体リハビリテーションを行う標的となる第３画像を前記表示部に表示させる表示制御ステップと、
前記第３画像を注視して前記身体リハビリテーションを行う前記利用者の前記身体及び／又は前記身体のいずれかの部位の動きに関する動き情報を受信する受信ステップと、
前記受信ステップで検出される前記動き情報に応じて移動する第４画像を前記表示部に表示させる第３制御ステップと、
前記第４画像の表示位置が前記第３画像の表示範囲から特定範囲内にある特定範囲内状態が特定時間以上継続されたときに、前記第３画像及び前記第４画像とは異なり、かつ、前記身体リハビリテーションに成功したことを示す第５画像を前記表示部で表示させる第４制御ステップと、
を実行させる、プログラム。
【発明の詳細な説明】
【技術分野】
【０００１】
本発明は、リハビリテーション装置及びプログラムに関する。
【背景技術】
【０００２】
事故及び／又は病気等によって患者の眼球を動かす外眼筋や外眼筋を支配する神経に障害が生じ、患者の眼球の運動が阻害される眼球運動障害が知られている。眼球運動障害を有する患者は、眼球の運動が阻害されるため、見ようとしている対象から視線を動かさずに対象を見つめる注視に困難を覚える場合がある。注視に困難を覚える患者は、患者の生活における種々の状況においても、対象を見つめて対象の位置、形状、及び／又は対象に示された文字・記号等を把握することに困難を覚え得る。したがって、眼球運動障害は、患者の生活に支障を来たし、患者の生活の質（クォリティ・オブ・ライフ、ＱＯＬとも称する。）を低下させ得る。
【０００３】
眼球運動障害を有する患者が視線を用いたリハビリテーションを行い、このリハビリテーションによって眼球運動障害によって生じる注視に関する困難を軽減できれば、患者の生活の質が改善され得る。
【０００４】
視線を用いたリハビリテーションに関し、リハビリ対象者が向けるべき推奨視線情報とリハビリ対象者がとるべき推奨姿勢情報を含む複数の推奨三次元空間情報を格納する空間情報データベースと、複数の推奨三次元空間情報から選択された推奨三次元空間情報を表示するバーチャルリアリティ表示部と、携帯端末システムとを備え、この携帯端末システムがリハビリ対象者の視線情報を特定する視線特定手段と、リハビリ対象者の姿勢情報を特定する姿勢特定手段と、視線特定手段と姿勢特定手段から得られた情報を演算して得られる三次元空間情報及び選択された推奨三次元空間情報を比較する情報比較手段と、比較した情報が一致していない場合に警告及び指示を表示する指示表示手段と、を備えていることを特徴とするリハビリ支援システムが提案されている（特許文献１）。特許文献１に記載の発明によると、特定された視線情報及び姿勢情報を用いた視線及び／又は姿勢に関するリハビリテーションを行い得る。
【先行技術文献】
【特許文献】
【０００５】
【特許文献１】特開２０１０−１９８０８５号公報
【発明の概要】
【発明が解決しようとする課題】
【０００６】
しかしながら、特許文献１の技術では、視線情報及び姿勢情報を用いてバーチャルリアリティ空間を表示し、患者の視線及び／又は姿勢が推奨される視線及び／又は姿勢でない場合に警告及び指示を表示するにとどまり、視線を対象から動かさずに対象を見つめる注視に関するリハビリテーションを行う場合に改善の余地がある。
【０００７】
事故及び／又は病気等によって眼球運動障害を抱えた患者が身体の動きに関する障害をさらに抱えている場合もあり得る。眼球運動障害及び身体の動きに関する障害を抱えた患者は、眼球運動障害及び身体の動きに関するリハビリテーションを行うことによって生活の質を向上し得る。身体の動きに関するリハビリテーションに関し、特許文献１の技術では、患者の姿勢が推奨される姿勢でない場合に警告及び指示を表示するにとどまり、眼球運動障害及び身体の動きに関する障害を抱えた患者が身体の動きに関する障害のリハビリテーションを行う観点からも改良の余地がある。
【０００８】
本発明は、このような事情に鑑みてなされたものであり、その目的は、眼球運動障害を有する患者が対象を見つめる注視に関する視線リハビリテーション等を行うことを可能とし、患者の生活の質を向上し得るリハビリテーション装置及びプログラムを提供することである。
【課題を解決するための手段】
【０００９】
本発明者らは、上記課題を解決するために鋭意検討した結果、利用者の視線に関する視線情報を受信可能な視線受信部と、第１画像を表示可能に制御する第１制御部と、利用者の視線が第１画像の表示範囲から所定範囲内にある所定範囲内状態が所定時間以上継続されたときに第２画像を表示可能に制御する第２制御部とを有する装置を提供することで、上記の目的を達成できることを見出し、本発明を完成させるに至った。具体的に、本発明は以下のものを提供する。
【００１０】
第１の特徴に係る発明は、表示部と、前記表示部での表示態様を制御する表示制御部と、利用者の視線を検知可能な視線検知センサから前記視線に関する視線情報を受信可能な視線受信部と、を備え、前記表示制御部は、第１画像（例えば、視線標的画像）を表示可能に制御する第１制御部（例えば、第１表示制御部２１１Ａ）と、前記利用者の前記視線が前記第１画像の表示範囲から所定範囲内にある所定範囲内状態が所定時間以上継続されたときに、前記第１画像とは異なる第２画像（例えば、視線成功画像）を表示可能に制御する第２制御部（例えば、第２表示制御部２１１Ｂ）と、を有する、リハビリテーション装置を提供する。
【００１１】
第１の特徴に係る発明によれば、眼球運動障害を有し、対象を見つめる注視に困難を覚える利用者（患者）は、表示部に表示された第１画像を見つめる注視を所定時間以上継続する視線リハビリテーションを行える。患者の視線が表示部に表示された第１画像から所定範囲内にある状態が所定時間以上継続する場合、すなわち、患者が第１画像を所定時間以上見つめた場合に、第１画像と異なる第２画像が表示される。第２画像が表示されたことにより、患者は、表示部に表示された第１画像を見つめる注視を所定時間以上継続する視線リハビリテーションに成功したことがわかる。
【００１２】
患者は、注視の継続に成功したことを第２画像の表示により判別できるため、患者は、視線リハビリテーションを行う意欲を高め、この視線リハビリテーションを継続して行うことができる。継続して行われる視線リハビリテーションによって、眼球運動障害を有する患者は、注視に関する困難を軽減し得る。したがって、第１の特徴に係る発明によれば、患者の生活の質を向上し得る。
【００１３】
したがって、第１の特徴に係る発明によれば、眼球運動障害を有する患者が対象を見つめる注視に関する視線リハビリテーション等を行うことを可能とし、患者の生活の質を向上し得るリハビリテーション装置を提供できる。
【００１４】
第２の特徴に係る発明は、第１の特徴に係る発明であって、前記第１制御部は、前記第１画像を移動表示可能に制御する、装置を提供する。
【００１５】
第２の特徴に係る発明によれば、利用者（患者）は、移動する対象を見つめる注視を所定時間以上継続する視線リハビリテーションを行える。見つめる対象が移動するため、患者が視線リハビリテーションを継続して行った場合における、視線リハビリテーションへの飽きが軽減される。したがって、患者は、視線リハビリテーションを行う意欲をより一層高め、視線リハビリテーションを継続して行い得る。継続して行われる視線リハビリテーションによって、眼球運動障害を有する患者は、注視に関する困難を軽減し得る。したがって、第２の特徴に係る発明によれば、患者の生活の質を向上し得る。
【００１６】
したがって、第２の特徴に係る発明によれば、眼球運動障害を有する患者が対象を見つめる注視に関する視線リハビリテーション等を行うことを可能とし、患者の生活の質を向上し得るリハビリテーション装置を提供できる。
【００１７】
第３の特徴に係る発明は、第１又は第２の特徴に係る発明であって、前記利用者にリハビリテーションの開始を通知可能な開始通知部と、前記開始通知部による通知が行われた場合に、前記利用者の前記視線が前記所定範囲内にない所定範囲外状態から前記所定範囲内状態に切り換わる回数を計数する計数部と、前記変化した回数に基づく通知を実行可能な回数通知部と、をさらに備える、装置を提供する。
【００１８】
第３の特徴に係る発明によれば、利用者（患者）は、第１画像を見ていない状態から視線を動かして第１画像を所定時間以上見つめる動作を繰り返す視線リハビリテーションを行うことができる。この繰り返しにより、注視に関する視線リハビリテーションの効果をより一層高め得る。
【００１９】
患者は、リハビリテーションの開始が通知された後に患者がこの繰り返しを行った回数がわかるため、視線リハビリテーションを行う意欲をより一層高め、視線リハビリテーションを継続して行うことができる。継続して行われる視線リハビリテーションにより、患者は、注視に関する困難を軽減し、生活の質を向上し得る。
【００２０】
したがって、第３の特徴に係る発明によれば、眼球運動障害を有する患者が対象を見つめる注視に関する視線リハビリテーション等を行うことを可能とし、患者の生活の質を向上し得るリハビリテーション装置を提供できる。
【００２１】
第４の特徴に係る発明は、第３の特徴に係る発明であって、前記回数通知部は、前記開始が通知された時刻から特定時間が経過するまでにおける前記変化した回数に基づく通知を実行可能である、装置を提供する。
【００２２】
第４の特徴に係る発明によれば、利用者（患者）は、第１画像を見ていない状態から視線を動かして第１画像を所定時間以上見つめる動作を特定時間内に繰り返した回数がわかる。
【００２３】
該動作を繰り返し行う視線リハビリテーションを継続して行うことにより、患者は、該動作について熟達し得る。第４の特徴に係る発明によれば、患者は、該動作に熟達した度合いを、特定時間内に該動作を繰り返した回数という明瞭な指標によって把握できる。これにより、該動作を繰り返し行う視線リハビリテーションに対する意欲をより一層高め、視線リハビリテーションを継続して行うことができる。継続して行われる視線リハビリテーションにより、患者は、注視に関する困難を軽減し、生活の質を向上し得る。
【００２４】
したがって、第４の特徴に係る発明によれば、眼球運動障害を有する患者が対象を見つめる注視に関する視線リハビリテーション等を行うことを可能とし、患者の生活の質を向上し得るリハビリテーション装置を提供できる。
【００２５】
第５の特徴に係る発明は、第３又は第４の特徴に係る発明であって、前記回数通知部は、前記開始が通知された時刻から前記変化した回数が所定回数に達した時刻までの時間に基づく通知を実行可能である、装置を提供する。
【００２６】
第５の特徴に係る発明によれば、利用者（患者）は、リハビリテーションの開始を通知された時刻から、第１画像を見ていない状態から視線を動かして第１画像を所定時間以上見つめる動作を所定回数繰り返す視線リハビリテーションを完了するまでの所要時間がわかる。
【００２７】
該動作を繰り返し行う視線リハビリテーションを継続して行うことにより、患者は、該動作について熟達し得る。第５の特徴に係る発明によれば、患者は、該動作に熟達した度合いを、視線リハビリテーションの開始を通知された時刻から該動作を所定回数繰り返すまでの所要時間という明瞭な指標によって把握できる。これにより、該動作を繰り返し行うリハビリテーションに対する意欲をより一層高め、視線リハビリテーションを継続して行うことができる。継続して行われる視線リハビリテーションにより、患者は、注視に関する困難を軽減し、生活の質を向上し得る。
【００２８】
したがって、第５の特徴に係る発明によれば、眼球運動障害を有する患者が対象を見つめる注視に関する視線リハビリテーション等を行うことを可能とし、患者の生活の質を向上し得るリハビリテーション装置を提供できる。
【００２９】
第６の特徴に係る発明は、第１から第５の特徴のいずれかに係る発明であって、前記利用者の身体及び／又は前記身体のいずれかの部位の動きに関する動き情報を受信可能な動き受信部をさらに備え、前記表示制御部は、第３画像（例えば、動き標的画像）と前記動きに応じて移動表示可能な第４画像（例えば、動き位置画像）とを表示可能に制御する第３制御部（例えば、第３表示制御部２１１Ｃ）と、前記第４画像の表示位置が前記第３画像の表示範囲から特定範囲内にある特定範囲内状態が特定時間以上継続されたときに、前記第３画像及び前記第４画像とは異なる第５画像（動き成功画像）を表示可能に制御する第４制御部（例えば、第４表示制御部２１１Ｄ）と、をさらに有する、装置を提供する。
【００３０】
事故及び／又は病気等によって眼球運動障害を抱えた患者は、該事故及び／又は該病気によって身体の動きに関する障害を抱えている可能性がある。また、眼球運動障害を抱えた患者が別の事故及び／又は別の病気等によって、身体の動きに関する障害をさらに抱えている場合もあり得る。
【００３１】
第６の特徴に係る発明によれば、眼球運動障害及び身体の動きに関する障害を抱える利用者（患者）は、表示部に表示された第１画像を見つめる注視を所定時間以上継続する視線リハビリテーションに加えて、身体の動きに関するリハビリテーションを行える。
【００３２】
身体の動きに障害を抱える患者は、画像を用いて身体の動きを指示する装置等によって身体の動きに関するリハビリテーションを行い得る。しかし、眼球運動障害によって画像を注視することに関する困難を抱えている患者がこのようなリハビリテーションを行うことは、容易ではない。
【００３３】
眼球運動障害によって画像を注視することに関する困難を抱えている患者は、注視に関する視線リハビリテーションを行うことで画像を注視することに関する困難を軽減し得る。これにより、第３画像等を注視しながら、身体の動きに応じて移動表示される第４画像を第３画像の表示範囲の特定範囲内に維持する、身体の動きに関するリハビリテーションを行える。したがって、眼球運動障害及び身体の動きに関する障害を抱える患者であっても、身体の動きに関するリハビリテーションを、第３画像及び第４画像を用いて行える。
【００３４】
患者は、身体の動きに応じて移動する第４画像を第３画像の表示範囲の特定範囲内に維持できたことを第５画像の表示により判別できるため、患者は、リハビリテーションを行う意欲を高め、リハビリテーションを継続して行うことができる。継続して行われるリハビリテーションによって、患者は、画像を注視することに関する困難を軽減するだけでなく、身体の動きに関する困難をも軽減できる。したがって、患者の生活の質をより一層向上し得る。
【００３５】
したがって、第６の特徴に係る発明によれば、眼球運動障害を有する患者が対象を見つめる注視に関する視線リハビリテーション等を行うことを可能とし、患者の生活の質を向上し得るリハビリテーション装置を提供できる。
【００３６】
第７の特徴に係る発明は、第６の特徴に係る発明であって、前記動き情報は、前記利用者による手を開く動作の情報及び手を閉じる動作の情報を含み、前記第４制御部は、前記特定範囲内状態において前記手を開く動作及び／又は手を閉じる動作に関する情報を受信したときに前記第５画像を表示可能に制御する、装置を提供する。
【００３７】
第７の特徴に係る発明によれば、眼球運動障害及び手の開閉に関する障害を抱える利用者（患者）は、手の開閉に関するリハビリテーションを行える。これらのリハビリテーションにより、患者は、画像を注視することに関する困難を軽減するだけでなく、手の開閉に関する困難をも軽減できる。したがって、患者の生活の質をより一層向上し得る。
【００３８】
したがって、第７の特徴に係る発明によれば、眼球運動障害を有する患者が対象を見つめる注視に関する視線リハビリテーション等を行うことを可能とし、患者の生活の質を向上し得るリハビリテーション装置を提供できる。
【００３９】
第８の特徴に係る発明は、第６又は第７の特徴に係る発明であって、前記動き情報は、前記利用者が前記表示部に触れた位置の情報を含み、前記第３制御部は、前記表示部に触れた位置に応じて前記第４画像を移動表示可能に制御する、装置を提供する。
【００４０】
第８の特徴に係る発明によれば、眼球運動障害及び身体の動きに関する障害を抱える利用者（患者）は、表示部に表示された第１画像を見つめる注視を所定時間以上継続する視線リハビリテーションに加えて、表示部に表示された第３画像に触れる動きのリハビリテーションをも行える。患者は、これらのリハビリテーションによって、生活における基本的な動作の１つである注視している対象に触れる動作に関するリハビリテーションを行える。これにより、患者の生活の質をより一層改善し得る。
【００４１】
したがって、第８の特徴に係る発明によれば、眼球運動障害を有する患者が対象を見つめる注視に関する視線リハビリテーション等を行うことを可能とし、患者の生活の質を向上し得るリハビリテーション装置を提供できる。
【００４２】
第９の特徴に係る発明は、第１の特徴に係る発明のカテゴリ違いである。
【発明の効果】
【００４３】
本発明によれば、眼球運動障害を有する患者が対象を見つめる注視に関する視線リハビリテーション等を行うことを可能とし、患者の生活の質を向上し得るリハビリテーション装置を提供できる。
【図面の簡単な説明】
【００４４】
【図１】図１は、本実施形態に係るリハビリテーションシステム１のハードウェア構成及びソフトウェア構成の一例を示すブロック図である。
【図２】図２は、画像テーブル２２１の一例である。
【図３】図３は、リハビリテーション装置２で実行されるリハビリテーション処理の一例を示すメインフローチャートである。
【図４】図４は、図３から続く図である。
【図５】図５は、リハビリテーション装置２を用いた視線リハビリテーションの開始時における表示部２４での表示例の一例であり、表示制御部２１１が視線標的画像２４Ａを表示部２４に表示させたときの一例である。
【図６】図６は、図５から続く表示例の一例であり、表示制御部２１１が視線標的画像２４Ａとともに視線位置画像２４Ｂを表示部２４に表示させたときの一例である。
【図７】図７は、図６から続く表示例の一例であり、表示制御部２１１が視線位置画像２４Ｂを視線標的画像２４Ａの位置に移動させて視線成功画像２４Ｃを表示部２４に表示させたときの一例である。
【図８】図８は、リハビリテーション装置２を用いた動きリハビリテーションの開始時における表示部２４での表示例の一例であり、表示制御部２１１が動き標的画像２４Ｄを表示部２４に表示させたときの一例である。
【図９】図９は、図８から続く表示例の一例であり、表示制御部２１１が動き標的画像２４Ｄとともに動き位置画像２４Ｅを表示部２４に表示させたときの一例である。
【図１０】図１０は、図９から続く表示例の一例であり、表示制御部２１１が動き位置画像２４Ｅを動き標的画像２４Ｄの位置に移動させて動き成功画像２４Ｆを表示部２４に表示させたときの一例である。
【図１１】図１１は、変形例１に係る動きリハビリテーションの一例に関する説明図である。
【図１２】図１２は、変形例１における動き成功画像の表示例を示す説明図である。
【図１３】図１３は、変形例２に係る動きリハビリテーションの一例に関する説明図である。
【図１４】図１４は、変形例２における動き成功画像の表示例を示す説明図である。
【発明を実施するための形態】
【００４５】
以下、本発明を実施するための好適な形態の一例について図を参照しながら説明する。なお、これはあくまでも一例であって、本発明の技術的範囲はこれに限られるものではない。
【００４６】
＜リハビリテーションシステム１＞
図１は、本実施形態に係るリハビリテーションシステム１のハードウェア構成及びソフトウェア構成の一例を示すブロック図である。リハビリテーションシステム１（以下、単にシステム１とも称する。）は、リハビリテーション処理を行うリハビリテーション装置２と、リハビリテーション装置２と一体又は別体に構成され、利用者の視線を検知可能であり、検知した視線に関する視線情報をリハビリテーション装置２に送信可能な視線センサ３と、を含んで構成される。視線センサ３がリハビリテーション装置２と別体に構成されている場合、システム１は、リハビリテーション装置２と視線センサ３とを通信可能に接続するネットワーク４をさらに含むことが好ましい。
【００４７】
必須の態様ではないが、システム１は、利用者の身体及び／又は身体のいずれかの部位の動きに関する動き情報を検知し、検知した動き情報をリハビリテーション装置２に送信可能に構成された動きセンサ５をさらに含むことが好ましい。システム１は、動きセンサ５をさらに含むことにより、眼球運動障害及び身体の動きに関する障害を抱える利用者に身体の動きに関するリハビリテーションを行わせることができる。
【００４８】
〔リハビリテーション装置２〕
リハビリテーション装置２（以下、単に装置２とも称する。）は、制御部２１と、記憶部２２と、通信部２３と、表示部２４と、入力部２５と、を含んで構成される。
【００４９】
［制御部２１］
制御部２１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、及びＲＯＭ（Ｒｅａｄ  Ｏｎｌｙ  Ｍｅｍｏｒｙ）等を備える。
【００５０】
制御部２１は、所定のプログラムを読み込み、必要に応じて記憶部２２、通信部２３、表示部２４及び／又は入力部２５と協働することで、装置２におけるソフトウェア構成の要素である表示制御部２１１、開始通知部２１２、視線受信部２１３、計数部２１４、並びに回数通知部２１５等を実現する。表示制御部２１１は、第１表示制御部２１１Ａ及び第２表示制御部２１１Ｂを有する。
【００５１】
システム１が動きセンサ５を含む場合、表示制御部２１１は、第３表示制御部２１１Ｃ及び第４表示制御部２１１Ｄをさらに有することが好ましい。また、システム１が動きセンサ５を含む場合、制御部２１は、所定のプログラムを読み込み、必要に応じて記憶部２２、通信部２３、表示部２４及び／又は入力部２５と協働することで、装置２におけるソフトウェア構成の要素である、動き受信部２１６をさらに実現可能であることが好ましい。
【００５２】
［記憶部２２］
記憶部２２は、データやファイルが記憶される装置であって、ハードディスクや半導体メモリ、記録媒体、メモリカード等による、データのストレージ部を有する。記憶部２２は、ネットワークを介してＮＡＳ（Ｎｅｔｗｏｒｋ  Ａｔｔａｃｈｅｄ  Ｓｔｏｒａｇｅ）、ＳＡＮ（Ｓｔｏｒａｇｅ  Ａｒｅａ  Ｎｅｔｗｏｒｋ）、クラウドストレージ、ファイルサーバ、分散ファイルシステム等の記憶装置又は記憶システムとの接続を可能にする仕組みを有してもよい。
【００５３】
記憶部２２には、マイクロコンピューターで実行される制御プログラムと、
注視する対象を示す視線標的画像（第１画像）をはじめとした種々の画像を格納する画像テーブル２２１、視線が視線標的画像の表示範囲から所定範囲内にあるか否かの情報を示す所定範囲内状態フラグ、及び視線が視線標的画像の表示範囲から所定範囲内にない所定範囲外状態から所定範囲内状態に切り替わった時刻を格納する所定範囲内切替え時刻等が記憶されている。記憶部２２に所定範囲内状態フラグが記憶されていることにより、制御部２１は、視線が視線標的画像の表示範囲から所定範囲内であるか否かに基づく処理を行える。記憶部２２に所定範囲内切替え時刻が記憶されていることにより、制御部２１は、所定範囲内切替え時刻に基づく処理を行える。
【００５４】
必須の態様ではないが、記憶部２２には、視線が上述の所定範囲外状態から上述の所定範囲内状態に切り替わる回数を格納する変化回数が記憶されていることが好ましい。変化回数が記憶されていることにより、制御部２１は、変化回数に基づく通知を実行できる。
【００５５】
必須の態様ではないが、記憶部２２には、視線リハビリテーションの開始を通知した時刻を格納するリハビリテーション開始時刻が記憶されていることが好ましい。リハビリテーション開始時刻が記憶されていることにより、制御部２１は、視線リハビリテーションの開始が通知された時刻を用いた通知を行える。
【００５６】
システム１が動きセンサ５を含む場合、記憶部２２には、動き標的画像（第３画像）の表示範囲から動き位置画像（第４画像）が特定範囲内にある特定範囲内状態であるか否かの情報を示す特定範囲内状態フラグ、及び動き位置画像が動き標的画像の表示範囲から特定範囲内にない特定範囲外状態から特定範囲内状態に切り替わった時刻を格納する特定範囲内切替え時刻等が記憶されている。記憶部２２に特定範囲内状態フラグが記憶されていることにより、制御部２１は、動き位置画像が特定範囲内であるか否かに基づく処理を行える。記憶部２２に特定範囲内切替え時刻が記憶されていることにより、制御部２１は、特定範囲内切替え時刻に基づく処理を行える。
【００５７】
（画像テーブル２２１）
画像テーブル２２１は、記憶部２２に記憶され、注視する対象を示す視線標的画像（第１画像）、及び注視を所定時間以上継続したことを通知する視線成功画像（第２画像）のうちのいずれであるかを少なくとも識別可能な画像種別と画像とを関連付けて格納する。画像テーブル２２１には、少なくとも１以上の視線標的画像と、少なくとも１以上の視線成功画像とが格納される。画像テーブル２２１には、画像を識別するＩＤと、画像種別及び画像とが関連付けられて格納されることが好ましい。画像種別及び画像がＩＤと関連付けられて格納されることにより、制御部２１は、画像を容易に取得できる。
【００５８】
必須の態様ではないが、画像テーブル２２１には、視線の位置を示す視線位置画像が格納されていることが好ましい。視線位置画像が格納されていることにより、利用者は、利用者の視線と視線標的画像との位置関係を容易に把握できる。したがって、視線リハビリテーションをより効果的に行える。
【００５９】
必須の態様ではないが、画像テーブル２２１には、視線標的画像等の背景に表示される背景画像が格納されていることが好ましい。背景画像が格納されていることにより、制御部２１は、表示部２４に背景画像を表示できる。これにより、利用者は、背景画像を目印に用いて表示部２４を注視できる。したがって、視線リハビリテーションをより効果的に行える。背景画像が利用者をリラックスさせる効果や、視線リハビリテーションに対する利用者のモチベーションを高める効果も奏し得る。
【００６０】
システム１が動きセンサ５を含む場合、画像テーブル２２１には、画像種別が動きリハビリテーションにおける標的を示す動き標的画像（第３画像）と、画像種別が動きリハビリテーションにおける位置を示す動き位置画像（第４画像）と、画像種別が動きリハビリテーションにおける成功を示す動き成功画像（第５画像）と、がさらに格納されていることが好ましい。これらの画像が格納されていることにより、制御部２１は、身体の動きによって動き位置画像を動き標的画像から特定範囲内へ移動させた状態を特定時間継続する動きリハビリテーションを行える。
【００６１】
図２は、画像テーブル２２１の一例である。図２に示す画像テーブル２２１には、画像種別が視線標的画像、視線位置画像、視線成功画像、背景画像、動き標的画像、動き位置画像及び動き成功画像のいずれかの種別を含む画像が格納されている。
【００６２】
図２に示す画像テーブル２２１には、ＩＤ「１」と、画像種別「視線標的画像」及びチョウの画像とが関連付けられて格納されている。これにより、表示部２４にチョウの画像を表示し、利用者がチョウの画像を注視する視線リハビリテーションを行える。
【００６３】
図２に示す画像テーブル２２１には、ＩＤ「３」と、画像種別「視線成功画像」及び文字列「Ｎｉｃｅ！」を表す画像とが関連付けられて格納されている。これにより、利用者が注視を所定時間以上継続したときに、文字列「Ｎｉｃｅ！」を表示する視線リハビリテーションを行える。
【００６４】
図２に示す画像テーブル２２１には、ＩＤ「５」と、画像種別「動き標的画像」及び人参の画像とが関連付けられて格納されている。また、ＩＤ「６」と、画像種別「動き位置画像」及び舟に乗ったうさぎの画像とが関連付けられて格納されている。したがって、表示部２４に人参の画像を表示し、利用者が舟に乗ったうさぎの画像を人参の画像へ移動させる動きリハビリテーションを行える。
【００６５】
図２に示す画像テーブル２２１には、ＩＤ「７」と、画像種別「動き成功画像」及び「Ｎｉｃｅ！」という文字列を表す画像とが関連付けられて格納されている。これにより、利用者が動き位置画像を動き標的画像へ移動させた状態を特定時間以上継続したときに、「Ｎｉｃｅ！」という文字列を表示する動きリハビリテーションを行える。
【００６６】
［通信部２３］
通信部２３は、利用者の視線に関する視線情報を視線センサ３から受信可能なデバイス、例えば、携帯電話ネットワークに対応した無線装置、ＩＥＥＥ８０２．１１に準拠したＷｉ−Ｆｉ（Ｗｉｒｅｌｅｓｓ  Ｆｉｄｅｌｉｔｙ）対応デバイス、イーサネット規格に対応したネットワークカード、ＵＳＢ規格に準拠した汎用バス等のバス、ＲＳ−２３２Ｃ規格ポート等のシリアルポート、ＩＥＥＥ  １２８４準拠のインタフェース等のパラレルポート、及びシリアルＡＴＡ規格に準拠したコネクタ等を有する。
【００６７】
［表示部２４］
表示部２４の種類は、特に限定されない。表示部２４として、例えば、液晶ディスプレイ（ＬＣＤディスプレイ）、モニタ、タッチパネル、及びスクリーンに映像を投影するプロジェクタを用いた表示システム等が挙げられる。表示部２４は、さらに、音声を再生する機能を有していてもよく、音声を再生可能な外部の装置に音声の再生に関する情報及び／又は電気信号を送信可能に構成されていてもよい。
【００６８】
［入力部２５］
入力部２５の種類は、特に限定されない。入力部２５として、例えば、キーボード、マウス、タッチパネル、ソフトウェアキーボード、音声を認識するマイク、及び外部の装置から入力を受信する通信デバイス等が挙げられる。
【００６９】
〔視線センサ３〕
視線センサ３は、利用者の視線に関する視線情報を検知可能であり、検知した視線情報を装置２に送信可能であれば特に限定されず、従来技術の各種の視線センサでよい。視線センサ３は、装置２と一体に構成されていてもよく、装置２と別体に構成されていてもよい。視線センサ３として、例えば、利用者の目及び／又は目の周辺を撮影し、目の向きを用いて視線を検知する視線センサや、利用者の顔を撮影し、顔の向きを用いて視線を検知する視線センサ等が挙げられる。
【００７０】
〔ネットワーク４〕
ネットワーク４の種類は特に限定されず、パーソナルエリアネットワーク、ローカルエリアネットワーク、イントラネット、エクストラネット、インターネット、Ｗｉ−Ｆｉネットワーク、ユニバーサル・シリアル・バス（ＵＳＢ）に準拠したバスネットワーク、シリアルＡＴＡ規格に準拠したバスネットワーク、あるいはこれらを含むネットワークを複数組み合わせたネットワーク等が挙げられる。
【００７１】
（動きセンサ５）
動きセンサ５は、利用者の身体及び／又は身体のいずれかの部位の動きに関する動き情報を検知可能であり、検知した動き情報を装置２に送信可能であれば特に限定されず、従来技術の各種の動きセンサでよい。動きセンサ５は、利用者の身体に取り付ける動きセンサでもよく、利用者から離れた位置に設けられた動きセンサでもよい。
【００７２】
動きセンサ５は、例えば、カメラを介して利用者の身体の動きを検知可能な身体の動きセンサ、赤外線等の電磁波、磁場及び／又は音波等を用いて利用者の手指の動きを検知可能な手指センサ、カメラ及び／又はタッチパネル等を介して利用者が表示部２４に触れる動き及び触れた位置を検知可能な動きセンサ、利用者の手首に取り付けられ、利用者の手の動く方向、移動量及び／又は加速度を検知可能な動きセンサ等でよい。動きセンサ５は、装置２と一体に構成されていてもよく、装置２と別体に構成されていてもよい。
【００７３】
〔リハビリテーション処理のメインフローチャート〕
図３及び図４は、リハビリテーション装置２で実行されるリハビリテーション処理の一例を示すメインフローチャートである。中でも、図３は、視線リハビリテーション処理の一例を示し、図４は、動きリハビリテーション処理の一例を示す。
【００７４】
〔視線リハビリテーション処理〕
以下では、図３を参照しながら、視線リハビリテーション処理の好ましい手順について説明する。なお、以下では、記憶部２２に変化回数が記憶されているものとして説明を行う。
【００７５】
［ステップＳ１：視線リハビリテーション処理の開始を指令されたか否かを判定］
制御部２１は、記憶部２２、通信部２３、表示部２４及び入力部２５と協働して開始通知部２１２を実行し、視線リハビリテーション処理の開始を指令されたか否かを判定する（ステップＳ１）。開始を指令されたならば、制御部２１は、処理をステップＳ２に移す。開始を指令されていないならば、制御部２１は、処理をステップＳ１に移す。視線リハビリテーション処理の開始を指令されたか否かを判定することにより、装置２は、視線リハビリテーション処理の開始を指令された場合に、視線リハビリテーション処理を開始できる。
【００７６】
制御部２１が視線リハビリテーション処理の開始を指令されたか否かを判定する方法は、特に限定されず、制御部２１は、入力部２５を介して視線リハビリテーション処理の開始を指令する所定の入力が行われたか否かを判定する方法、及び／又は通信部２３を介して視線リハビリテーション処理の開始を指令する情報を受信したか否かを判定する方法、等の従来技術の各種の方法で視線リハビリテーション処理の開始を指令されたか否かを判定できる。
【００７７】
必須の態様ではないが、開始通知部２１２は、表示部２４を介して視線リハビリテーションが開始されたことを利用者に通知することが好ましい。リハビリテーションが開始されたことを利用者に通知することにより、装置２は、視線リハビリテーション処理の開始を通知してから所定範囲外状態から所定範囲内状態に切り替わった回数を通知できる。
【００７８】
表示部２４を介してリハビリテーションが開始されたことを利用者に通知する方法は、特に限定されず、例えば、リハビリテーションの開始を通知する画像を表示する方法、リハビリテーションの開始を通知する文字列を表示する方法、リハビリテーションの開始を通知する記号を表示する方法、リハビリテーションの開始を通知する音声の再生する方法、及び／又はこれらの方法の２以上を組み合わせた方法等が挙げられる。
【００７９】
記憶部２２に変化回数が記憶されている場合、視線リハビリテーションが開始されたことが利用者に通知されたときに、制御部２１は、記憶部２２と協働して計数部２１４をさらに実行し、変化回数を０にすることが好ましい。制御部２１が変化回数を０にすることにより、視線リハビリテーション処理の開始を通知してから所定範囲外状態から所定範囲内状態に切り替わった回数を通知できる。
【００８０】
リハビリテーション開始時刻が記憶部２２に記憶されている場合、視線リハビリテーションが開始されたことが利用者に通知されたときに、制御部２１は、記憶部２２に記憶されたリハビリテーション開始時刻を現在時刻に更新することが好ましい。これにより、装置２は、開始が通知された時刻から決められた時間が経過するまでにおける変化回数に基づく通知を行える。
【００８１】
［ステップＳ２：視線標的画像を表示］
制御部２１は、記憶部２２及び表示部２４と協働して第１表示制御部２１１Ａを実行し、画像テーブル２２１から画像種別「視線標的画像」と関連付けられた画像を取得し、取得された視線標的画像を表示部２４に表示する（ステップＳ２）。制御部２１は、処理をステップＳ３に移す。表示部２４に視線標的画像を表示することにより、利用者は、視線標的画像を注視する視線リハビリテーションを行える。
【００８２】
必須の態様ではないが、制御部２１は、記憶部２２及び表示部２４と協働して画像テーブル２２１から画像種別「背景画像」と関連付けられた画像を取得し、取得された背景画像を表示部２４に表示することが好ましい。制御部２１が表示部２４に背景画像を表示することにより、利用者は、背景画像を目印に用いて表示部２４を注視できる。したがって、利用者は、視線リハビリテーションをより効果的に行える。背景画像を表示することは、背景画像が利用者をリラックスさせる効果や、視線リハビリテーションに対する利用者のモチベーションを高める効果も奏し得る。
【００８３】
必須の態様ではないが、第１表示制御部２２１Ａは、取得された視線標的画像を表示部２４に移動表示可能に構成されていてもよい。取得された視線標的画像を表示部２４に移動表示可能に構成することにより、利用者（患者）は、移動する対象を見つめる注視を所定時間以上継続する視線リハビリテーションを行える。見つめる対象が移動するため、患者が視線リハビリテーションを継続して行った場合における、視線リハビリテーションへの飽きが軽減される。したがって、患者は、視線リハビリテーションを行う意欲をより一層高め、視線リハビリテーションを継続して行い得る。継続して行われる視線リハビリテーションによって、眼球運動障害を有する患者は、注視に関する困難を軽減し得る。したがって、装置２は、取得された視線標的画像を表示部２４に移動表示することにより、患者の生活の質を向上し得る。
【００８４】
［ステップＳ３：視線情報を受信］
制御部２１は、記憶部２２及び通信部２３と協働して視線受信部２１３を実行し、視線センサ３から視線情報を受信する（ステップＳ３）。制御部２１は、処理をステップＳ４に移す。制御部２１が視線情報を受信することにより、装置２は、利用者の視線が視線標的画像の表示範囲から所定範囲内にあるか否かを判定できる。
【００８５】
必須の態様ではないが、制御部２１は、さらに、記憶部２２及び表示部２４と協働して、画像テーブル２２１から画像種別「視線位置画像」と関連付けられた画像を取得し、視線の位置を示す視線位置画像を表示部２４に表示してもよい。制御部２１が視線の位置を示す視線位置画像を表示することにより、利用者は、利用者の視線と視線標的画像との位置関係を容易に把握できる。したがって、利用者は、視線リハビリテーションをより効果的に行える。
【００８６】
［ステップＳ４：回数通知に関する条件を満たしたか否かを判定］
制御部２１は、記憶部２２及び表示部２４と協働して回数通知部２１５を実行し、回数通知に関する条件を満たしたか否かを判定する（ステップＳ４）。回数通知に関する条件を満たしたならば、制御部２１は、表示部２４を介して変化回数に基づく通知を行い、処理をステップＳ１に移し、ステップＳ１からステップＳ９を繰り返す。回数通知に関する条件を満たしていないならば、制御部２１は、処理をステップＳ５に移す。
【００８７】
制御部２１が回数通知に関する条件を満たしたか否かを判定し、変化回数に基づく通知を行うことにより、利用者は、視線標的画像を見ていない状態から視線を動かして視線標的画像を所定時間以上見つめる動作を繰り返す視線リハビリテーションを行うことができる。この繰り返しは、注視に関する視線リハビリテーションの効果をより一層高め得る。
【００８８】
利用者（患者）は、リハビリテーションの開始が通知された後に患者がこの繰り返しを行った回数がわかるため、視線リハビリテーションを行う意欲をより一層高め、視線リハビリテーションを継続して行うことができる。継続して行われる視線リハビリテーションにより、患者は、注視に関する困難を軽減し、生活の質を向上し得る。
【００８９】
制御部２１が回数通知に関する条件を満たしたか否かを判定する方法は、回数通知に関する条件を満たしたか否かを判定する方法であれば特に限定されない。回数通知に関する条件を満たしたか否かを判定する方法として、例えば、リハビリテーション開始時刻を用いて視線リハビリテーションを開始した時刻から決められた時間が経過したか否かを判定する方法、及び／又は変化回数が所定の回数に達したか否かを判定する方法、等が挙げられる。
【００９０】
決められた時間は、特に限定されず、例えば、予め定められた時間、利用者が指定した時間、予め定められた複数の時間から利用者が選択した時間、及び／又は時間をランダムに決める方法によって決定された時間、等でよい。
【００９１】
所定の回数は、特に限定されず、例えば、予め定められた回数、利用者が指定した回数、予め定められた複数の回数から利用者が選択した回数、及び／又は時間をランダムに決める方法によって決定された回数、等でよい。
【００９２】
回数通知に関する条件を満たしたか否かを判定する方法が視線リハビリテーションを開始した時刻から決められた時間が経過したか否かを判定する方法であることにより、装置２は、視線標的画像を見ていない状態から視線を動かして視線標的画像を所定時間以上見つめる動作を決められた時間内に繰り返した回数を算出できる。
【００９３】
回数通知に関する条件を満たしたか否かを判定する方法が変化回数が所定の回数に達したか否かを判定する方法であることにより、装置２は、リハビリテーションの開始を通知された時刻から、視線標的画像を見ていない状態から視線を動かして視線標的画像を所定時間以上見つめる動作を所定回数繰り返す視線リハビリテーションを完了するまでの所要時間を計測できる。
【００９４】
制御部２１が変化回数に基づく通知を行う方法は、変化回数に基づく通知を行う方法であれば特に限定されず、例えば、表示部２４に表示することで通知する方法、及び／又は音声を再生することで通知する方法等が挙げられる。
【００９５】
記憶部２２にリハビリテーション開始時刻が記憶され、回数通知に関する条件を満たしたか否かを判定する方法が視線リハビリテーションを開始した時刻から決められた時間が経過したか否かを判定する方法である場合、変化回数に基づく通知は、視線リハビリテーションを開始した時刻から決められた時間が経過するまでの変化回数に関する通知であることが好ましい。
【００９６】
変化回数に基づく通知が視線リハビリテーションを開始した時刻から決められた時間が経過するまでの変化回数に関する通知であることにより、利用者（患者）は、視線標的画像を見ていない状態から視線を動かして視線標的画像を所定時間以上見つめる動作を決められた時間内に繰り返した回数がわかる。
【００９７】
該動作を繰り返し行う視線リハビリテーションを継続して行うことにより、患者は、該動作について熟達し得る。変化回数に基づく通知が視線リハビリテーションを開始した時刻から決められた時間が経過するまでの変化回数に関する通知であることにより、患者は、該動作に熟達した度合いを、決められた時間内に該動作を繰り返した回数という明瞭な指標によって把握できる。これにより、患者は、該動作を繰り返し行う視線リハビリテーションに対する意欲をより一層高め、視線リハビリテーションを継続して行うことができる。継続して行われる視線リハビリテーションにより、患者は、注視に関する困難を軽減し、生活の質を向上し得る。
【００９８】
記憶部２２にリハビリテーション開始時刻が記憶され、回数通知に関する条件を満たしたか否かを判定する方法が変化回数が所定の回数に達したか否かを判定する方法である場合、変化回数に基づく通知は、視線リハビリテーションを開始した時刻から変化回数が所定の回数に達した時刻までの時間に基づく通知であることが好ましい。
【００９９】
変化回数に基づく通知が視線リハビリテーションを開始した時刻から変化回数が所定の回数に達した時刻までの時間に基づく通知であることにより、利用者（患者）は、リハビリテーションの開始を通知された時刻から、視線標的画像を見ていない状態から視線を動かして視線標的画像を所定時間以上見つめる動作を所定回数繰り返す視線リハビリテーションを完了するまでの所要時間がわかる。
【０１００】
患者が該動作を繰り返し行う視線リハビリテーションを継続して行うことにより、患者は、該動作について熟達し得る。変化回数に基づく通知が視線リハビリテーションを開始した時刻から変化回数が所定の回数に達した時刻までの時間に基づく通知であることにより、患者は、該動作に熟達した度合いを、視線リハビリテーションの開始を通知された時刻から該動作を所定回数繰り返すまでの所要時間という明瞭な指標によって把握できる。これにより、患者は、該動作を繰り返し行うリハビリテーションに対する意欲をより一層高め、視線リハビリテーションを継続して行うことができる。継続して行われる視線リハビリテーションにより、患者は、注視に関する困難を軽減し、生活の質を向上し得る。
【０１０１】
必須の態様ではないが、システム１が動きセンサ５を含む場合、回数通知に関する条件を満たしたならば、制御部２１は、表示部２４を介して変化回数に基づく通知を行い、処理をステップＳ１１に移すことが好ましい。処理をステップＳ１１に移すことにより、ステップＳ１１からステップＳ１９の一連の処理によって実現される患者の身体の動きに関する動きリハビリテーション処理を行うことができる。動きリハビリテーション処理の流れについては、後に、図４を用いて詳細に説明する。
【０１０２】
［ステップＳ５：視線が所定範囲内に切り替わったか否かを判定］
制御部２１は、記憶部２２及び通信部２３と協働して計数部２１４を実行し、視線が視線標的画像の表示範囲から所定範囲外にある所定範囲外状態から視線が視線標的画像の表示範囲から所定範囲内にある所定範囲内状態に切り替わったか否かを判定する（ステップＳ５）。所定範囲内状態に切り替わったならば、制御部２１は、処理をステップＳ６に移す。所定範囲内状態に切り替わっていないならば、制御部２１は、処理をステップＳ７に移す。所定範囲内状態に切り替わったか否かを判定することにより、装置２は、視線標的画像を見ていない状態から視線を動かして視線標的画像を所定時間以上見つめる動作が行われたか否かを判定できる。
【０１０３】
所定範囲は、視線標的画像の表示範囲に関する範囲であれば、特に限定されない。所定範囲として、例えば、視線標的画像の中心等の特定の位置に関する範囲、視線標的画像の表示範囲を含む長方形に関する範囲、又は視線標的画像の表示範囲の外周に関する範囲等が挙げられる。所定範囲内状態に切り替わったか否かを判定する方法は、特に限定されない。制御部２１が所定範囲内状態に切り替わったか否かを判定する方法として、例えば、所定範囲内状態フラグがＯＦＦであり、かつ、視線が所定範囲内である場合に所定範囲内状態に切り替わったと判定し、それ以外の場合に所定範囲内状態に切り替わっていないと判定する方法が挙げられる。
【０１０４】
［ステップＳ６：切り替わりを記録］
制御部２１は、記憶部２２と協働して計数部２１４を実行し、所定範囲内切替え時刻に現在時刻を格納することにより、所定範囲内状態に切り替わったことを記録する（ステップＳ６）。制御部２１は、処理をステップＳ７に移す。所定範囲内切替え時刻に現在時刻を格納することにより、装置２は、所定範囲内状態が所定時間継続されたか否かを判定できる。
【０１０５】
［ステップＳ７：視線が所定範囲内であるか否かを判定］
制御部２１は、記憶部２２、表示部２４及び入力部２５と協働して第２表示制御部２１１Ｂを実行し、視線が視線標的画像の表示範囲から所定範囲内である所定範囲内状態であるか否かを判定する（ステップＳ７）。所定範囲内状態であるならば、制御部２１は、所定範囲内フラグをＯＮにし、処理をステップＳ８に移す。所定範囲内状態でないならば、制御部２１は、所定範囲内フラグをＯＦＦにし、処理をステップＳ３に移す。所定範囲内状態であるか否かを判定することにより、装置２は、後述するステップＳ８で行われる処理において、所定範囲内状態が継続されたか否かを判定できる。
【０１０６】
［ステップＳ８：所定時間が経過したか否かを判定］
制御部２１は、記憶部２２と協働して第２表示制御部２１１Ｂを実行し、所定範囲内切替え時刻から所定時間が経過したか否かを判定する（ステップＳ８）。所定時間が経過したならば、制御部２１は、処理をステップＳ９に移す。所定時間が経過していないならば、制御部２１は、処理をステップＳ３に移す。所定時間が経過したか否かを判定することにより、所定範囲内状態が所定時間以上継続されたときに、装置２は、視線標的画像とは異なる視線成功画像を表示できる。
【０１０７】
所定時間は、眼球運動障害を有する患者が対象を見つめる注視に関する視線リハビリテーションに係る時間であれば、特に限定されない。所定時間の下限は、１／３０秒以上であることが好ましく、１／１０秒以上であることがさらに好ましく、１秒以上であることが最も好ましい。所定時間の下限をこのように定めることにより、視線リハビリテーションにおいて注視が継続されている場合に、所定範囲内状態が所定時間以上継続されたと判定できる。所定時間の上限は、６０秒以下であることが好ましく、２０秒以下であることがさらに好ましく、５秒以下であることが最も好ましい。所定時間の上限をこのように定めることにより、患者が注視を長時間に渡って行い体力等を消耗することが軽減され得る。所定時間を決定する方法は、特に限定されず、例えば、予め定められた時間を用いて決定する方法、利用者が指定した時間を用いて決定する方法、予め定められた複数の時間から利用者が選択した時間を用いて決定する方法、及び／又は時間をランダムに決める方法によって決定する方法、等でよい。
【０１０８】
［ステップＳ９：視点成功画像を表示］
制御部２１は、記憶部２２及び表示部２４と協働して第２表示制御部２１１Ｂを実行し、画像テーブル２２１から画像種別「視線成功画像」と関連付けられた画像を取得し、表示部２４に視線成功画像を表示する（ステップＳ９）。制御部２１は、処理をステップＳ３に移す。視線成功画像を表示することにより、利用者（患者）は、表示部２４に表示された視線標的画像を見つめる注視を所定時間以上継続する視線リハビリテーションに成功したことがわかる。
【０１０９】
〔動きリハビリテーション処理〕
システム１が動きセンサ５を含む場合、装置２は、利用者の身体の動きに係るリハビリテーションに関する動きリハビリテーション処理をさらに実行することが好ましい。以下では、図４を参照しながら動きリハビリテーションの好ましい手順について説明する。
【０１１０】
［ステップＳ１１：動きリハビリテーション処理の終了を指示されたか否かを判定］
図３に示されたステップＳ４において回数通知に関する条件を満たした場合、制御部２１は、記憶部２２、表示部２４及び入力部２５と協働して開始通知部２１２を実行し、動きリハビリテーション処理の終了を指令されたか否かを判定する（ステップＳ１１）。終了を指令されたならば、制御部２１は、処理をステップＳ１に移し、ステップＳ１からステップＳ１９の処理を繰り返す。終了を指令されていないならば、制御部２１は、処理をステップＳ１２に移す。動きリハビリテーション処理の終了を指示されたか否かを判定することにより、利用者は、動きリハビリテーションを終了するか継続するかを選択できる。
【０１１１】
動きリハビリテーション処理の終了を指令されたか否かを判定する方法は、特に限定されず、制御部２１は、入力部２５を介して動きリハビリテーション処理の終了を指令する所定の入力が行われたか否かを判定する方法、及び／又は通信部２３を介して動きリハビリテーション処理の終了を指令する情報を受信したか否かを判定する方法、等の従来技術の各種の方法で判定できる。
【０１１２】
［ステップＳ１２：動き標的画像を表示］
制御部２１は、記憶部２２及び表示部２４と協働して第３表示制御部２１１Ｃを実行し、画像テーブル２２１から画像種別「動き標的画像」と関連付けられた画像を取得し、取得された動き標的画像を表示部２４に表示する（ステップＳ１２）。制御部２１は、処理をステップＳ１３に移す。表示部２４に動き標的画像を表示することにより、利用者は、利用者の身体及び／又は身体のいずれかの部位の動きに応じて移動する動き位置画像を動き標的画像に向けて移動させる視線リハビリテーションを行える。
【０１１３】
必須の態様ではないが、制御部２１は、記憶部２２及び表示部２４と協働して画像テーブル２２１から画像種別「背景画像」と関連付けられた画像を取得し、取得された背景画像を表示部２４に表示することが好ましい。背景画像を表示することにより、利用者は、背景画像を目印に用いて動き位置画像を移動させられる。したがって、動きリハビリテーションをより効果的に行える。背景画像を見た利用者がリラックスする効果や、動きリハビリテーションに対するモチベーションを高める効果も奏し得る。
【０１１４】
必須の態様ではないが、第３表示制御部２１１Ｃは、取得された動き標的画像を表示部２４に移動表示可能に構成されていてもよい。取得された動き標的画像を表示部２４に移動表示可能に構成することにより、利用者（患者）は、移動表示される動き標的画像の表示範囲から特定範囲内へ動き位置画像を移動させた状態を特定時間以上継続する動きリハビリテーションを行える。動き標的画像が移動するため、患者が動きリハビリテーションを継続して行った場合における、動きリハビリテーションへの飽きが軽減される。したがって、患者は、視線リハビリテーションを行う意欲をより一層高め、動きリハビリテーションを継続して行い得る。継続して行われる動きリハビリテーションによって、眼球運動障害を有する患者は、身体の動きに関する困難を軽減し得る。したがって、取得された動き標的画像を表示部２４に移動表示することにより、患者は、生活の質を向上し得る。
【０１１５】
［ステップＳ１３：動き情報を受信］
制御部２１は、記憶部２２及び通信部２３と協働して動き受信部２１６を実行し、動きセンサ５から動き情報を受信する（ステップＳ１３）。制御部２１は、処理をステップＳ１４に移す。動き情報を受信することにより、制御部２１は、動き情報に応じて動き位置画像を移動させることができる。
【０１１６】
動き情報は、利用者の身体及び／又は身体のいずれかの部位の動きに関するものであれば、特に限定されず、利用者が身体をひねる動きに関する情報、利用者の手指の動きに関する情報、利用者が表示部２４に触れる動き及び触れた位置に関する情報、利用者の手の動く方向、移動量及び／又は加速度に関する情報、等でよい。
【０１１７】
［ステップＳ１４：動き位置画像を表示］
制御部２１は、記憶部２２及び表示部２４と協働して、第３表示制御部２１１Ｃを実行し画像テーブル２２１から画像種別「動き位置画像」と関連付けられた画像を取得し、ステップＳ１３で受信した動き情報に応じて表示部２４に動き位置画像を移動表示する（ステップＳ１４）。動き情報に応じて動き位置画像を表示することにより、利用者は、利用者の身体の動きを視覚的に把握できる。したがって、動きリハビリテーションをより効果的に行える。
【０１１８】
［ステップＳ１５：動き位置画像が特定範囲内に切り替わった否かを判定］
制御部２１は、記憶部２２及び通信部２３と協働して計数部２１４を実行し、動き位置画像が動き標的画像の表示範囲から特定範囲外にある特定範囲外状態から動き位置画像が動き標的画像の表示範囲から特定範囲内にある特定範囲内状態に切り替わったか否かを判定する（ステップＳ１５）。特定範囲内状態に切り替わったならば、制御部２１は、処理をステップＳ１６に移す。特定範囲内状態に切り替わっていないならば、制御部２１は、処理をステップＳ１７に移す。特定範囲内状態に切り替わったか否かを判定することにより、装置２は、利用者が利用者の動きに応じて移動表示される動き位置画像を動き標的画像の表示範囲から特定範囲内に移動表示させる動作を行ったか否かを判定できる。
【０１１９】
特定範囲は、動き標的画像の表示範囲に関する範囲であれば、特に限定されない。特定範囲として、例えば、動き標的画像の中心等の特定の位置に関する範囲、動き標的画像の表示範囲を含む長方形に関する範囲、又は動き標的画像の表示範囲の外周に関する範囲等が挙げられる。特定範囲内状態に切り替わったか否かを判定する方法は、特に限定されない。特定範囲内状態に切り替わったか否かを判定する方法として、例えば、特定範囲内状態フラグがＯＦＦであり、かつ、動き位置画像が特定範囲内である場合に特定範囲内状態に切り替わったと判定し、それ以外の場合に特定範囲内状態に切り替わっていないと判定する方法が挙げられる。
【０１２０】
［ステップＳ１６：切り替わりを記録］
制御部２１は、記憶部２２と協働して第４表示制御部２１１Ｄを実行し、特定範囲内切替え時刻に現在時刻を格納することにより、特定範囲内状態に切り替わったことを記録する（ステップＳ１６）。制御部２１は、処理をステップＳ１７に移す。制御部２１が特定範囲内切替え時刻に現在時刻を格納することにより、制御部２１は、特定範囲内状態が特定時間継続されたか否かを判定できる。
【０１２１】
［ステップＳ１７：動き位置画像が特定範囲内であるか否かを判定］
制御部２１は、記憶部２２、表示部２４及び入力部２５と協働して第３表示制御部２１１Ｃを実行し、動き位置画像が動き標的画像の表示範囲から特定範囲内である特定範囲内状態であるか否かを判定する（ステップＳ１７）。特定範囲内状態であるならば、制御部２１は、特定範囲内フラグをＯＮにし、処理をステップＳ１８に移す。特定範囲内状態でないならば、制御部２１は、特定範囲内フラグをＯＦＦにし、処理をステップＳ１３に移す。特定範囲内状態であるか否かを判定することにより、後述するステップＳ１８で行われる処理において、制御部２１は、特定範囲内状態が継続されたか否かを判定できる。
【０１２２】
［ステップＳ１８：特定時間が経過したか否かを判定］
制御部２１は、記憶部２２と協働して第４表示制御部２１１Ｄを実行し、特定範囲内切替え時刻から特定時間が経過したか否かを判定する（ステップＳ１８）。特定時間が経過したならば、制御部２１は、処理をステップＳ１９に移す。特定時間が経過していないならば、制御部２１は、処理をステップＳ１３に移す。特定時間が経過したか否かを判定することにより、特定範囲内状態が特定時間以上継続されたときに、制御部２１は、動き標的画像及び動き位置画像とは異なる動き成功画像を表示できる。
【０１２３】
特定時間は、眼球運動障害を有する患者の動きリハビリテーションに係る時間であれば、特に限定されない。特定時間の下限は、１／３０秒以上であることが好ましく、１／１０秒以上であることがさらに好ましく、１秒以上であることが最も好ましい。特定時間の下限をこのように定めることにより、制御部２１は、患者の身体の動きが動き位置画像を動き標的画像の表示範囲から特定範囲内に移動させて維持する身体の動きであるか否かを判定できる。特定時間の上限は、６０秒以下であることが好ましく、２０秒以下であることがさらに好ましく、５秒以下であることが最も好ましい。特定時間の上限をこのように定めることにより、患者は、動き位置画像を動き標的画像の表示範囲から特定範囲内に移動させて維持する身体の動きを長時間に渡って行い消耗することを避け得る。特定時間を決定する方法は、特に限定されず、例えば、予め定められた時間を用いて決定する方法、利用者が指定した時間を用いて決定する方法、予め定められた複数の時間から利用者が選択した時間を用いて決定する方法、及び／又は時間をランダムに決める方法によって決定する方法、等でよい。
【０１２４】
［ステップＳ１９：動き成功画像を表示］
制御部２１は、記憶部２２及び表示部２４と協働して第４表示制御部２１１Ｄを実行し、画像テーブル２２１から画像種別「動き成功画像」と関連付けられた画像を取得し、表示部２４に動き成功画像を表示する（ステップＳ１９）。制御部２１は、処理をステップＳ１１に移す。動き標的画像及び動き位置画像と異なる動き成功画像を表示することにより、利用者（患者）は、身体の動きに応じて移動表示される動き位置画像を動き標的画像の表示範囲の特定範囲内に維持する、身体の動きに関する動きリハビリテーションに成功したことがわかる。
【０１２５】
〔リハビリテーションシステム１の使用例〕
以下では、本実施形態におけるリハビリテーションシステム１の使用例を説明する。以下に示す使用例では、システム１は、動きセンサ５を有する。以下に示す使用例では、リハビリテーション装置２は、動き受信部２１６を有し、変化回数、リハビリテーション開始時刻、特定範囲内フラグ及び特定範囲内切替え時刻を記憶部２２に記憶し、視線リハビリテーションの開始を通知可能であり、視線リハビリテーションの開始が通知されたときにリハビリテーション開始時刻を現在時刻に更新可能であり、表示部２４に背景画像を表示可能に構成されており、視線情報を受信したときに、視線の位置を示す視線位置画像を表示可能に構成されており、視線リハビリテーションの開始が通知された時刻から決められた時間が経過するまでにおける変化回数に基づく通知を実行可能であり、回数通知に関する条件を満たした場合に動きリハビリテーションを行うよう構成されている。
【０１２６】
図５〜図７は、リハビリテーション装置２を用いた視線リハビリテーションの一例に関する説明図である。そのうち、図５は、視線リハビリテーションの開始時における表示部２４での表示例の一例であり、表示制御部２１１が視線標的画像２４Ａを表示部２４に表示させたときの一例である。図６は、図５から続く表示例の一例であり、表示制御部２１１が視線標的画像２４Ａとともに視線位置画像２４Ｂを表示部２４に表示させたときの一例である。図７は、図６から続く表示例の一例であり、表示制御部２１１が視線位置画像２４Ｂを視線標的画像２４Ａの位置に移動させて視線成功画像２４Ｃを表示部２４に表示させたときの一例である。
【０１２７】
図８〜図１０は、リハビリテーション装置２を用いた動きリハビリテーションの一例に関する説明図である。そのうち、図８は、動きリハビリテーションの開始時における表示部２４での表示例の一例であり、表示制御部２１１が動き標的画像２４Ｄを表示部２４に表示させたときの一例である。図９は、図８から続く表示例の一例であり、表示制御部２１１が動き標的画像２４Ｄとともに動き位置画像２４Ｅを表示部２４に表示させたときの一例である。図１０は、図９から続く表示例の一例であり、表示制御部２１１が動き位置画像２４Ｅを動き標的画像２４Ｄの位置に移動させて動き成功画像２４Ｆを表示部２４に表示させたときの一例である。
【０１２８】
以下、図５〜図１０を用いて、本実施形態におけるリハビリテーションシステム１の使用例を説明する。
【０１２９】
［視線リハビリテーションの開始］
眼球運動障害を有し、対象を見つめる注視に困難を覚える利用者Ｐ（患者）は、リハビリテーション装置２に視線リハビリテーションの開始を指令する。装置２は、視線リハビリテーションの開始を利用者Ｐに通知する。
【０１３０】
［画像の表示］
装置２は、第１表示制御部２１１Ａを実行し、表示部２４に背景画像と視線標的画像とを表示する。図５に示す例では、画像テーブル２２１においてＩＤ「４」と関連付けられた背景画像（山を背景にした湖の画像）が表示された表示部２４に、画像テーブル２２１においてＩＤ「１」と関連付けられた視線標的画像２４Ａ（矢印によって標的であることを示されたチョウの画像）が表示されている。視線センサ３は、利用者Ｐの視線Ｓを検知し、装置２（図示せず）に送信する。視線標的画像２４Ａの表示範囲からの所定範囲Ｒ１を示す点線の長方形は、表示部２４に表示されているものではなく、視線リハビリテーションの説明のために描き加えられたものであることに留意されたい。
【０１３１】
図５の例によれば、利用者Ｐは、表示部２４に表示された視線標的画像２４Ａにより、視線Ｓを向ける標的の位置がわかる。利用者Ｐは、山を背景にした湖において、視線でチョウを追う状況を模した視線リハビリテーションを行える。このような状況を模した視線リハビリテーションであるため、利用者Ｐは、リラックスすることができ、視線リハビリテーションをより効果的に行い得る。
【０１３２】
［視線情報の受信］
装置２は、視線受信部２１３を実行し、視線センサ３から利用者Ｐの視線Ｓに関する視線情報を受信する。装置２は、視線Ｓの位置を示す視線位置画像を表示部２４に表示する。
【０１３３】
図６に示す例では、表示部２４における利用者Ｐの視線Ｓの位置に画像テーブル２２１においてＩＤ「２」と関連付けられた視線位置画像２４Ｂ（虫取り網の画像）が表示されている。視線位置画像２４Ｂが表示されていることにより、利用者Ｐは、利用者の視線Ｓと視線標的画像２４Ａとの位置関係を視覚的に把握できる。したがって、視線リハビリテーションをより効果的に行える。
【０１３４】
図６に示す例によれば、利用者Ｐは、山を背景にした湖において、虫取り網でチョウを追う状況を模した視線リハビリテーションを行える。このような状況を模した視線リハビリテーションであるため、利用者Ｐは、リラックスすることができ、視線リハビリテーションをより効果的に行い得る。視線の位置に表示される虫取り網でチョウを追うというリハビリテーションの目標が視線標的画像２４Ａ及び視線位置画像２４Ｂによって明瞭に示されているため、患者は、視線リハビリテーションに対するモチベーションを高め得る。
【０１３５】
［視線Ｓが所定範囲内であるか否かに関する処理］
装置２は、計数部２１４及び第２表示制御部２１１Ｂを実行し、視線Ｓが視線標的画像の表示範囲から所定範囲内にない所定範囲外状態から視線Ｓが所定範囲内にある所定範囲内状態に切り替わったか否かを判定し、さらに、視線Ｓが所定範囲内にある所定範囲内状態であるか否かを判定する。
【０１３６】
（所定範囲外状態である場合）
図６に示す例のように、視線Ｓが視線標的画像２４Ａの表示範囲から所定範囲Ｒ１内にない所定範囲外状態である場合、装置２は、視線リハビリテーションの開始が通知された時刻から決められた時間が経過するか、視線Ｓが、視線標的画像２４Ａの表示範囲から所定範囲Ｒ１内になるまで、視線情報を受信し、視線の位置を示す視線位置画像２４Ｂを表示部２４に表示し、視線Ｓが所定範囲Ｒ１内にある所定範囲内状態に切り替わったか否かを判定し、視線Ｓが所定範囲Ｒ１内にある所定範囲内状態であるか否かを判定する一連の処理を繰り返す。
【０１３７】
（所定範囲外状態から所定範囲内状態に切り替わった場合）
視線Ｓが視線標的画像２４Ａの表示範囲から所定範囲内にない所定範囲外状態から視線Ｓが所定範囲内にある所定範囲内状態に切り替わった場合、装置２は、所定範囲内切替え時刻に現在時刻を格納し、変化回数に１を加え、視線Ｓが所定範囲内にある所定範囲内状態であるか否かを判定する。
【０１３８】
（所定範囲内状態である場合）
視線Ｓが所定範囲内にある所定範囲内状態である場合、装置２は、第２表示制御部２１１Ｂを実行し、所定範囲内状態が所定範囲内切替え時刻から所定時間以上継続されたか否かを判定する。所定範囲内状態が所定範囲内切替え時刻から所定時間以上継続された場合、装置２は、表示部２４に視線成功画像を表示する。
【０１３９】
図７に示す例では、図６に示された例と異なり、視線位置画像２４Ｂによって示される視線Ｓの位置が視線標的画像２４Ａの表示範囲から所定範囲Ｒ１内にあるため、装置２は、視線Ｓが所定範囲Ｒ１内にある所定範囲内状態に切り替わったと判定し、所定範囲内状態が所定範囲内切替え時刻から所定時間以上継続されたか否かを判定する。そして、所定範囲内状態が所定時間以上継続されたときに、装置２は、表示部２４に画像テーブル２２１においてＩＤ「３」と関連付けられた視線成功画像２４Ｃ（文字列「Ｎｉｃｅ！」を表す画像）を表示する。視線リハビリテーションの開始時刻から決められた時間が経過するまで、装置２は、画像の表示に関する処理と、視線情報の受信に関する処理と、視線Ｓが所定範囲内であるか否かに関する処理とを繰り返す。
【０１４０】
［決められた時間の経過］
視線リハビリテーションの開始時刻から決められた時間が経過すると、装置２は、回数通知部２１５を実行し、決められた時間が経過するまでにおける変化回数を利用者Ｐに通知する。
【０１４１】
［動きリハビリテーションの開始］
視線リハビリテーションに続いて動きリハビリテーションを行う利用者Ｐは、装置２に、動きリハビリテーションを終了する指令を送信しない。これにより、装置２は、動きリハビリテーションを終了する指令を受信せず、眼球運動障害及び身体の動きに関する障害を抱える利用者Ｐの身体の動きに関する動きリハビリテーション処理を開始する。
【０１４２】
［画像の表示］
装置２は、第３表示制御部２１１Ｃを実行し、表示部２４に背景画像と動き標的画像とを表示する。図８に示す例では、画像テーブル２２１においてＩＤ「４」と関連付けられた背景画像（山を背景にした湖の画像）が表示された表示部２４に、画像テーブル２２１においてＩＤ「５」と関連付けられた動き標的画像２４Ｄ（矢印によって標的であることを示された人参の画像）が表示されている。動き標的画像２４Ｄの表示範囲からの特定範囲Ｒ２を示す点線の長方形は、表示部２４に表示されているものではなく、動きリハビリテーションの説明のために描き加えられたものであることに留意されたい。
【０１４３】
［動き情報の受信］
装置２は、動き受信部２１６を実行し、動きセンサ５から利用者Ｐの身体の動きに関する動き情報を受信する。装置２は、動き位置画像を表示部２４に表示する。
【０１４４】
図９に示す例では、山を背景にした湖の画像である背景画像が表示された表示部２４に、矢印によって標的であることを示された人参の画像である動き標的画像２４Ｄと、画像テーブル２２１においてＩＤ「６」と関連付けられた動き位置画像２４Ｅ（舟に乗ったうさぎの画像）とが示されている。利用者Ｐが腰をひねる動きを検知する動きセンサ５Ａは、利用者Ｐが腰をひねる動きを検知し、装置２に送信する。
【０１４５】
図９の例によれば、利用者Ｐは、山を背景にした湖において、うさぎの好物とされる人参をうさぎが乗った舟で追う状況を模した動きリハビリテーションを行える。このような状況を模した動きリハビリテーションであるため、利用者Ｐは、リラックスすることができ、動きリハビリテーションをより効果的に行い得る。うさぎの好物とされる人参をうさぎが乗った舟で追うというリハビリテーションの目標が動き標的画像２４Ｄ及び動き位置画像２４Ｅによって明瞭に示されているため、利用者は、動きリハビリテーションに対するモチベーションを高め得る。
【０１４６】
［動き位置画像が特定範囲Ｒ２内であるか否かに関する処理］
装置２は、第４表示制御部２１１Ｄを実行し、動き位置画像が動き標的画像示範囲から特定範囲内にない特定範囲外状態から動き位置画像が特定範囲内にある特定範囲内状態に切り替わったか否かを判定し、さらに、動き位置画像が特定範囲内にある特定範囲内状態であるか否かを判定する。
【０１４７】
（特定範囲外状態である場合）
図９に示す例のように、動き位置画像２４Ｅが動き標的画像２４Ｄの表示範囲から特定範囲Ｒ２内にない特定範囲外状態である場合、装置２は、動き位置画像２４Ｅが動き標的画像２４Ｄの表示範囲から特定範囲Ｒ２内になるまで動き情報を受信し、動き位置画像２４Ｅを表示部２４に表示し、動き位置画像２４Ｅが動き標的画像２４Ｄの表示範囲から特定範囲Ｒ２内にある特定範囲内状態に切り替わったか否かを判定し、動き位置画像２４Ｅが動き標的画像２４Ｄの表示範囲から特定範囲Ｒ２内にある特定範囲内状態であるか否かを判定する一連の処理を繰り返す。
【０１４８】
（特定範囲外状態から特定範囲内状態に切り替わった場合）
利用者Ｐの身体の動きによって動き位置画像が動き標的画像の表示範囲から特定範囲内にない特定範囲外状態から動き位置画像が特定範囲内にある特定範囲内状態に切り替わった場合、装置２は、特定範囲内切替え時刻に現在時刻を格納し、動き位置画像が動き標的画像の表示範囲から特定範囲内にある特定範囲内状態であるか否かを判定する。
【０１４９】
図１０に示す例では、利用者Ｐが腰をひねる動きに応じて、動き位置画像２４Ｅが特定範囲Ｒ２内に移動表示されている。図９に示す例における状況から図１０に示す例における状況に変化した場合、装置２は、動き位置画像２４Ｅが動き標的画像２４Ｄの表示範囲から特定範囲Ｒ２内にない特定範囲外状態から動き位置画像２４Ｅが特定範囲Ｒ２内にある特定範囲内状態に切り替わったと判定し、特定範囲内切替え時刻に現在時刻を格納し、動き位置画像２４Ｅが動き標的画像の表示範囲から特定範囲内にある特定範囲内状態であるか否かを判定する。
【０１５０】
（特定範囲内状態である場合）
図１０に示す例のように、動き位置画像２４Ｅが動き標的画像の表示範囲から特定範囲内にある特定範囲内状態である場合、装置２は、第４表示制御部２１１Ｄを実行し、特定範囲内状態が特定範囲内切替え時刻から特定時間以上継続されたか否かを判定する。特定範囲内状態が特定範囲内切替え時刻から特定時間以上継続された場合、装置２は、表示部２４に画像テーブル２２１においてＩＤ「７」と関連付けられた動き成功画像２４Ｆ（文字列「Ｎｉｃｅ！」を表す画像）を表示する。
【０１５１】
本実施形態に係るリハビリテーションシステム１を使用することにより、眼球運動障害を有し、対象を見つめる注視に困難を覚える利用者（患者）は、表示部に表示された視線標的画像（第１画像）を見つめる注視を所定時間以上継続する視線リハビリテーションを行える。患者の視線が表示部２４に表示された視線標的画像から所定範囲内にある状態が所定時間以上継続する場合、すなわち、患者が視線標的画像を所定時間以上見つめた場合に、視線標的画像と異なる視線成功画像（第２画像）が表示される。視線成功画像が表示されたことにより、患者は、表示部２４に表示された視線標的画像を見つめる注視を所定時間以上継続する視線リハビリテーションに成功したことがわかる。
【０１５２】
患者は、注視の継続に成功したことを視線成功画像の表示により判別できるため、患者は、視線リハビリテーションを行う意欲を高め、この視線リハビリテーションを継続して行うことができる。継続して行われる視線リハビリテーションによって、眼球運動障害を有する患者は、注視に関する困難を軽減し得る。したがって、本実施形態に係るリハビリテーションシステム１を使用することにより、患者は、生活の質を向上し得る。
【０１５３】
身体の動きに障害を抱える患者は、画像を用いて身体の動きを指示する装置等によって身体の動きに関するリハビリテーションを行い得る。しかし、眼球運動障害によって画像を注視することに関する困難を抱えている患者がこのようなリハビリテーションを行うことは、容易ではない。
【０１５４】
本実施形態に係るリハビリテーションシステム１を使用することにより、眼球運動障害によって画像を注視することに関する困難を抱えている患者は、注視に関する視線リハビリテーションを行うことで画像を注視することに関する困難を軽減し得る。これにより、利用者は、動き標的画像（第３画像）等を注視しながら、身体の動きに応じて移動表示される動き位置画像（第４画像）を動き標的画像の表示範囲の特定範囲内に維持する、身体の動きに関するリハビリテーションを行える。したがって、眼球運動障害及び身体の動きに関する障害を抱える患者であっても、身体の動きに関するリハビリテーションを、動き標的画像及び動き位置画像を用いて行える。
【０１５５】
患者は、身体の動きに応じて移動する動き位置画像を動き標的画像の表示範囲の特定範囲内に維持できたことを動き成功画像（第５画像）の表示により判別できるため、患者は、リハビリテーションを行う意欲を高め、リハビリテーションを継続して行うことができる。継続して行われるリハビリテーションによって、患者は、画像を注視することに関する困難を軽減するだけでなく、身体の動きに関する困難をも軽減できる。したがって、患者は、生活の質を向上し得る。
【０１５６】
したがって、本実施形態に係るリハビリテーションシステム１を使用することにより、眼球運動障害を有する患者が対象を見つめる注視に関する視線リハビリテーション等を行うことを可能とし、患者の生活の質を向上し得るリハビリテーション装置２を提供できる。
【０１５７】
＜変形例＞
以下、本実施形態に記載の発明における種々の変形例を例示する。
【０１５８】
〔変形例１〕  手の開閉に関するリハビリテーションを行うリハビリテーション装置２
本実施形態のリハビリテーション装置２は、利用者Ｐの身体の動きを用いて動き位置画像を移動する動きリハビリテーションを行うよう構成されたが、本発明のリハビリテーション装置２は、手を開く動作及び／又は手を閉じる動作に関するリハビリテーションを行えるよう構成されていてもよい。
【０１５９】
本変形例のリハビリテーション装置２に関し、動き受信部２１６が動きセンサ５から受信する動き情報は、利用者Ｐの身体及び／又は身体のいずれかの部位の動きに関する情報と、利用者Ｐが手を開く動作の情報及び／又は手を閉じる動作の情報とを含み、第４表示制御部２１１Ｄは、特定範囲内状態において利用者Ｐが手を開く動作及び／又は手を閉じる動作に関する情報を受信したときに、動き標的画像及び動き位置画像と異なる動き成功画像を表示可能に制御するよう構成されている。
【０１６０】
本変形例の動きセンサ５は、利用者Ｐが手を開く動作及び／又は手を閉じる動作を検知し、利用者Ｐが手を開く動作の情報及び／又は手を閉じる動作の情報をさらに含む動き情報を装置２に送信可能に構成されている。本変形例の動きセンサ５は、利用者Ｐが手を開く動作及び／又は手を閉じる動作を検知し、利用者Ｐが手を開く動作の情報及び／又は手を閉じる動作の情報をさらに含む動き情報を装置２に送信可能であれば特に限定されず、例えば、赤外線等の電磁波、磁場及び／又は音波等を用いて利用者Ｐの手指の動きを検知可能な動きセンサでよい。本変形例の動きセンサ５は、装置２と一体に構成されていてもよく、装置２と別体に構成されていてもよい。
【０１６１】
図１１は、変形例１に係る動きリハビリテーションの一例に関する説明図である。図１２は、変形例１における動き成功画像の表示例を示す説明図である。以下、図１１及び図１２を用いて、変形例１に係る、動き位置画像を動き標的画像から特定範囲内に移動させて手を閉じる動作を行う動きリハビリテーションについて説明する。
【０１６２】
装置２は、第３表示制御部２１１Ｃを実行し、画像テーブル２２１から動き標的画像を取得し、取得された動き標的画像を表示部２４に表示する。装置２は、動き受信部２１６を実行し、動きセンサ５から、動き情報を受信する。装置２は、第３表示制御部２１１Ｃを実行し、画像テーブル２２１から動き位置画像を取得し、取得された動き位置画像を動き情報に応じて表示部２４に移動表示する。
【０１６３】
図１１に示す例では、画像テーブル２２１においてＩＤ「４」と関連付けられた背景画像（山を背景にした湖の画像）が表示された表示部２４に、画像テーブル２２１においてＩＤ「８」と関連付けられた動き標的画像２４Ｇ（矢印によって標的であることを示された標的の画像）と、画像テーブル２２１においてＩＤ「８」と関連付けられた動き位置画像２４Ｈ（釣りざおの画像）とが示されている。利用者Ｐの手指の動きを検知する動きセンサ５Ｂは、利用者Ｐの手Ｈについて、手指の動き、手を開く動作及び手を閉じる動作を検知し、装置２（図示せず）に送信する。
【０１６４】
図１１及び図１２に示す例では、利用者Ｐは、動き標的画像２４Ｇの表示範囲から特定範囲Ｒ３内へ動き位置画像２４Ｈを移動させ、手を閉じる動作を行うリハビリテーションを行う。図１１に示す例では、動き位置画像２４Ｈは、動き標的画像２４Ｇの表示範囲から特定範囲Ｒ３内にない。利用者Ｐは、手Ｈを動かし、動き位置画像２４Ｈを動き標的画像２４Ｇの表示範囲から特定範囲Ｒ３内へ移動表示させる。
【０１６５】
装置２は、動き受信部２１６を実行し、手を開く動作及び手を閉じる動作に関する情報を含む動き情報を受信する。装置２は、第４表示制御部２１１Ｄを実行し、特定範囲内状態において利用者Ｐが手を開く動作及び／又は手を閉じる動作に関する情報を受信したときに、画像テーブル２２１から動き成功画像を取得し、取得された動き成功画像を表示部２４に表示する。
【０１６６】
図１２に示す例では、利用者Ｐが手を動かしたことにより、動き位置画像２４Ｈが動き標的画像２４Ｇの表示範囲から特定範囲Ｒ３内へ移動表示されている。そして、動き位置画像２４Ｈが動き標的画像２４Ｇの表示範囲から特定範囲Ｒ３内にある特定範囲内状態で、利用者Ｐは、手Ｈを閉じる（握る）動作を行っている。手Ｈを閉じる動作を検知した動きセンサ５Ｂは、利用者Ｐが手Ｈを閉じる動作の情報を含む動き情報を装置２に送信する。動き受信部２１６は、特定範囲内状態で利用者Ｐが手Ｈを閉じる動作に関する情報を受信する。手Ｈを閉じる動作に関する情報を受信したため、第４表示制御部２２１Ｄは、画像テーブル２２１においてＩＤ「７」と関連付けられ、動き標的画像２４Ｇ及び動き位置画像２４Ｈと異なる動き成功画像２４Ｆ（文字列「Ｎｉｃｅ！」を表す画像）を表示部２４に表示する。これにより、利用者は、手指の動きによって動き位置画像２４Ｈを動き標的画像２４Ｇの表示範囲から特定範囲Ｒ３内に移動させ、さらに、手Ｈを閉じる動作を行うリハビリテーションに成功したことを、視覚的に把握できる。
【０１６７】
本変形例のリハビリテーション装置２によれば、眼球運動障害及び手の開閉に関する障害を抱える利用者（患者）は、手の開閉に関するリハビリテーションを行える。これらのリハビリテーションにより、患者は、画像を注視することに関する困難を軽減するだけでなく、手の開閉に関する困難をも軽減できる。したがって、本変形例のリハビリテーション装置２によれば、患者の生活の質を向上し得る。
【０１６８】
〔変形例２〕  注視した対象に触れるリハビリテーションを行うリハビリテーション装置２
本実施形態のリハビリテーション装置２は、利用者Ｐの身体の動きを用いて動き位置画像を移動する動きリハビリテーションを行うよう構成されたが、本発明のリハビリテーション装置２は、利用者Ｐが表示部２４に触れる動作に関するリハビリテーションを行えるよう構成されていてもよい。
【０１６９】
本変形例のリハビリテーション装置２に関し、動き受信部２１６が動きセンサ５から受信する動き情報は、利用者Ｐが表示部２４に触れる動作及び利用者Ｐが表示部２４に触れた位置の情報を含み、第４表示制御部２１１Ｄは、利用者Ｐが表示部２４に触れる動作を行ったときに利用者Ｐが表示部２４に触れた位置に応じて動き位置画像を移動表示可能に制御するよう構成されている。
【０１７０】
本変形例の動きセンサ５は、利用者Ｐが表示部２４に触れる動作及び利用者Ｐが表示部２４に触れた位置を検知可能な動きセンサであり、利用者Ｐが表示部２４に触れる動作を検知し、利用者Ｐが表示部２４に触れた位置の情報をさらに含む動き情報を装置２に送信可能に構成されている。本変形例の動きセンサ５は、表示部２４がタッチパネル等の利用者Ｐが表示部２４に触れる動作及び利用者Ｐが表示部２４に触れた位置を検知する装置を備えた表示部２４であれば、例えば、該装置を用いて利用者Ｐが表示部２４に触れる動作及び利用者Ｐが表示部２４に触れた位置を検知する動きセンサ等でよい。本変形例の動きセンサ５は、表示部２４がタッチパネル等を備えていない表示部２４であれば、例えば、カメラを介して利用者Ｐが表示部２４に触れる動作及び利用者Ｐが表示部２４に触れた位置を検知可能な動きセンサ等でよい。本変形例の動きセンサ５は、装置２と一体に構成されていてもよく、装置２と別体に構成されていてもよい。
【０１７１】
図１３は、変形例２に係る動きリハビリテーションの一例に関する説明図である。図１４は、変形例２における動き成功画像の表示例を示す説明図である。以下、図１３及び図１４を用いて、変形例２に係る表示部２４に表示された動き標的画像に触れる動作を行う動きリハビリテーションについて説明する。
【０１７２】
装置２は、第３表示制御部２１１Ｃを実行し、画像テーブル２２１から動き標的画像を取得し、取得された動き標的画像を表示部２４に表示する。装置２は、動き受信部２１６を実行し、動きセンサ５から、利用者Ｐが表示部２４に触れる動作及び利用者Ｐが表示部２４に触れた位置に関する情報を含む動き情報を受信する。装置２は、第３表示制御部２１１Ｃを実行し、画像テーブル２２１から動き位置画像を取得し、利用者Ｐが表示部２４に触れた位置に応じて、取得された動き位置画像を表示部２４に移動表示する。
【０１７３】
図１３及び図１４に示す例では、画像テーブル２２１においてＩＤ「４」と関連付けられた背景画像（山を背景にした湖の画像）が表示された表示部２４に、画像テーブル２２１においてＩＤ「１０」と関連付けられた動き標的画像２４Ｉ（矢印によって標的であることを示された鯨の画像）と、画像テーブル２２１においてＩＤ「１１」と関連付けられた動き位置画像２４Ｊ（矢印の画像）とが示されている。利用者Ｐが表示部２４に触れる動きを検知する動きセンサ５Ｂは、利用者Ｐが表示部２４に触れる動きを検知し、装置２（図示せず）に送信する。
【０１７４】
図１３及び図１４に示す例では、利用者Ｐは、動き標的画像２４Ｉの表示範囲から特定範囲Ｒ４内に触れるリハビリテーションを行う。図１３に示す例では、動き位置画像２４Ｊは、動き標的画像２４Ｉの表示範囲から特定範囲Ｒ４内にない。利用者Ｐは、表示部２４に表示された動き標的画像２４Ｉの表示範囲から特定範囲Ｒ４内に触れ、動き位置画像２４Ｊを動き標的画像２４Ｉの表示範囲から特定範囲Ｒ４内へ移動表示させる。
【０１７５】
装置２は、動き受信部２１６を実行し、利用者Ｐが表示部２４に触れる動作及び利用者Ｐが表示部２４に触れた位置に関する情報を含む動き情報を受信する。装置２は、第４表示制御部２１１Ｄを実行し、特定範囲内状態が特定時間以上継続されたときに、画像テーブル２２１から動き成功画像を取得し、取得された動き成功画像を表示部２４に表示する。
【０１７６】
図１４に示す例では、利用者Ｐが表示部２４に関し、動き標的画像２４Ｇの表示範囲から特定範囲Ｒ４内の位置を触れる動作を行い、動きセンサ５Ｃが該動作及び利用者Ｐが触れた位置を検知している。利用者Ｐが表示部２４に触れる動作を検知した動きセンサ５Ｃは、利用者Ｐが触れた位置を含む動き情報を装置２に送信する。動き受信部２１６は、利用者Ｐが触れた位置を含む動き情報を受信する。そして、第３表示制御部２１１Ｃは、利用者Ｐが触れた位置に応じて、動き位置画像２４Ｊを移動表示する。そして、利用者Ｐが特定範囲Ｒ４内の位置に触れた状態を特定時間継続すると、画像テーブル２２１においてＩＤ「７」と関連付けられた動き成功画像２４Ｆ（文字列「Ｎｉｃｅ！」を表す画像）が表示される。これにより、利用者は、表示部２４に表示された動き標的画像２４Ｉに触れる動きのリハビリテーションに成功したことを、視覚的に把握できる。
【０１７７】
本変形例のリハビリテーション装置２によれば、眼球運動障害及び身体の動きに関する障害を抱える利用者（患者）は、表示部に表示された視線標的画像を見つめる注視を所定時間以上継続する視線リハビリテーションに加えて、表示部に表示された動き標的画像に触れる動きのリハビリテーションをも行える。患者は、これらのリハビリテーションによって、生活における基本的な動作の１つである注視している対象に触れる動作に関するリハビリテーションを行える。これにより、患者の生活の質をより一層改善し得る。
【０１７８】
以上、本発明の実施形態及び各種変形例について説明したが、本発明は上述したこれらの実施形態及び各種変形例に限るものではない。また、本発明の実施形態及び各種変形例に記載された効果は、本発明から生じる最も好適な効果を列挙したものに過ぎず、本発明による効果は、本発明の実施形態及び各種変形例に記載されたものに限定されるものではない。
【０１７９】
また、上述した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。
【符号の説明】
【０１８０】
１        システム
２        リハビリテーション装置
２１      制御部
２１１    表示制御部
２１２    開始通知部
２１３    視線受信部
２１４    計数部
２１５    回数通知部
２１６    動き受信部
２２      記憶部
２２１    画像テーブル
２３      通信部
２４      表示部
２５      入力部
３        視線センサ
４        ネットワーク
５        動きセンサ
【要約】      （修正有）【課題】眼球運動障害を有する患者が対象を見つめる注視に関する視線リハビリテーション等を行うことを可能とし、患者の生活の質を向上し得るリハビリテーション装置を提供する。【解決手段】リハビリテーション装置２は、表示部２４と、表示部での表示態様を制御する表示制御部２１１と、利用者（患者）の視線を検知可能な視線検知センサ３から視線に関する視線情報を受信可能な視線受信部２１３と、を備え、表示制御部は、少なくとも、第１画像を表示可能に制御する第１表示制御部２１１Ａと、利用者の視線が第１画像の表示範囲から所定範囲内にある所定範囲内状態が所定時間以上継続されたときに、第１画像とは異なる第２画像を表示可能に制御する第２表示制御部２１１Ｂと、を有する。【選択図】図１【図１】
0006988030.tif 000002
【図２】
0006988030.tif 000003
【図３】
0006988030.tif 000004
【図４】
0006988030.tif 000005
【図５】
0006988030.tif 000006
【図６】
0006988030.tif 000007
【図７】
0006988030.tif 000008
【図８】
0006988030.tif 000009
【図９】
0006988030.tif 000010
【図１０】
0006988030.tif 000011
【図１１】
0006988030.tif 000012
【図１２】
0006988030.tif 000013
【図１３】
0006988030.tif 000014
【図１４】
0006988030.tif 000015